(57)【特許請求の範囲】
【請求項１】
親機と複数の子機からなり、それぞれが有する無線通信手段を用いて前記親機と各前記子機の間で無線通信を行う通信装置であって、
各前記子機は、前記無線通信手段とは別の手段にてトリガを検出する検出手段を更に有し、
前記子機に設定される一意の識別子を含む付与信号を前記親機が一斉送信した後に前記検出手段により前記トリガを検出した前記子機である特定子機は、前記無線通信手段を用いて、前記特定子機に設定される一意の識別子を前記親機から受信し、又は、前記子機に固有の識別子を要求する要求信号を前記親機が一斉送信した後に前記検出手段により前記トリガを検出した前記子機である特定子機は、前記無線通信手段を用いて、前記要求信号を受信して前記特定子機に固有の識別子を前記親機に向けて送信する
ことを特徴とする通信装置。
【請求項２】
前記特定子機は、前記一意の識別子が未だ設定されていない場合、前記付与信号の送信を要求する要求信号を前記親機に向けて送信し、
前記親機は、前記要求信号の受信後に前記付与信号を一斉送信する
ことを特徴とする請求項１に記載の通信装置。
【請求項３】
各前記子機は、外部から視認可能な位置に配置された表示部を更に有し、
前記表示部は、前記トリガの検出時点、前記一意の識別子の受信時点、前記固有の識別子の送信時点、及び前記一意の識別子若しくは前記固有の識別子の設定時点のうち、少なくとも１つの時点の前後にわたって表示形態を異ならせる
ことを特徴とする請求項１又は２に記載の通信装置。
【請求項４】
親機と複数の子機からなり、それぞれが有する無線通信手段を用いて前記親機と各前記子機の間で無線通信を行う通信装置であって、
各前記子機は、前記無線通信手段とは別の手段にてトリガを検出する検出手段を更に有し、
前記検出手段により前記トリガを検出した前記子機である特定子機は、前記無線通信手段を用いて、前記特定子機に設定される一意の識別子を前記親機から受信し、又は前記特定子機に固有の識別子を前記親機に向けて送信し、
前記検出手段は、前記子機の外部から供給されるエネルギーを前記トリガとして検出する非接触センサである
ことを特徴とする通信装置。
【請求項５】
前記検出手段は、前記子機の外部から供給される磁気を前記トリガとして検出する磁気センサであることを特徴とする請求項４に記載の通信装置。
【請求項６】
前記検出手段は、電力の供給及び通電状態の変化のいずれか一方を前記トリガとして検出することを特徴とする請求項４又は５に記載の通信装置。
【請求項７】
請求項１〜６のいずれか１項に記載の通信装置と、
１つ又は２つ以上のセル電池から構成される蓄電池と、
を備え、
各前記子機は、前記セル電池の状態を示す測定データを取得する測定部を更に有し、
前記親機は、前記無線通信手段を用いて、前記測定部にて得られた前記測定データを各前記子機から受信する
ことを特徴とする蓄電装置。
【請求項８】
前記蓄電池は、２つ以上のセル電池から構成され、
各前記セル電池の端子を直列に接続する少なくとも１つのバスバーを更に備え、
各前記子機は、前記バスバーの上に接触して配置される
ことを特徴とする、請求項７に記載の蓄電装置。
【請求項９】
請求項１〜６のいずれか１項に記載の通信装置と、
前記通信装置の間で共有する前記一意の識別子又は前記固有の識別子を管理する識別子管理装置と
を備えることを特徴とする識別子管理システム。
【請求項１０】
親機と複数の子機からなり、それぞれが有する無線通信手段を用いて前記親機と各前記子機の間で無線通信を行う通信装置を用いる識別子管理方法であって、
複数の前記子機に含まれる特定子機が、前記無線通信手段とは別の手段にてトリガを検出する検出ステップと、
前記子機に設定される一意の識別子を含む付与信号を前記親機が一斉送信した後、前記トリガを検出した前記子機である前記特定子機が、前記無線通信手段を用いて、前記特定子機に設定される一意の識別子を前記親機から受信し、又は、前記子機に固有の識別子を要求する要求信号を前記親機が一斉送信した後、前記トリガを検出した前記子機である特定子機は、前記無線通信手段を用いて、前記要求信号を受信して前記特定子機に固有の識別子を前記親機に向けて送信する送受信ステップと
を備えることを特徴とする識別子管理方法。
【請求項１１】
親機と複数の子機からなり、それぞれが有する無線通信手段を用いて前記親機と各前記子機の間で無線通信を行う通信装置を用いる識別子管理方法であって、
複数の前記子機に含まれる特定子機が、前記無線通信手段とは別の手段にてトリガを検出する検出ステップと、
前記特定子機が、前記無線通信手段を用いて、前記特定子機に設定される一意の識別子を前記親機から受信し、又は前記特定子機に固有の識別子を前記親機に向けて送信する送受信ステップと
を備え、
前記検出ステップは、前記特定子機が、前記特定子機の外部から供給されるエネルギーを前記トリガとして検出するステップを含む、
ことを特徴とする識別子管理方法。
【発明の詳細な説明】
【技術分野】
【０００１】
本発明は、親機と複数の子機からなり、それぞれが有する無線通信手段を用いて前記親機と各前記子機の間で無線通信を行う通信装置、当該通信装置を備える蓄電装置、当該通信装置を含んで構成される識別子管理システム、及び当該通信装置を用いた識別子管理方法に関する。
【背景技術】
【０００２】
従来から、親機と複数の子機からなり、それぞれが有する無線通信手段を用いて親機と各子機の間で無線通信を行う通信装置が開発されている。例えば、各子機にセンシング機能を搭載することで、親機は、複数の測定対象物から得た測定データを一括して収集できる。特許文献１及び２には、複数のセル電池を直列に接続した蓄電池に適用する例が記載されている。
【先行技術文献】
【特許文献】
【０００３】
【特許文献１】特許第５４０３１９１号公報（［００３２］、図１等）
【特許文献２】特開２０１４−０９６３２２号公報（［００２４］、図４等）
【発明の概要】
【発明が解決しようとする課題】
【０００４】
ところで、この種の通信装置では、親機と子機の間でデータの授受を行う際に、子機に対して予め設定された一意の識別子、或いは子機に固有の識別子を用いる必要がある。しかしながら、特許文献１及び２には、この識別子の取り扱いに関する何らの記載がない。
【０００５】
具体的には、子機とセル電池の間の紐付け作業を蓄電装置の出荷前に実行し、この紐付け内容に従って蓄電装置を設置することが考えられる。しかし、この場合、［１］各子機への設定作業、［２］各セル電池へのラベル貼付作業、及び［３］紐付け内容に一致するか否かについての確認作業、が別途必要になり、作業工数が大幅に増加する問題が生じ得る。
【０００６】
本発明は、上述した課題に鑑みてなされたものであり、各子機の識別子を設定するための別体の設定用機器が不要となり、しかも設定の作業工数を大幅に削減可能な通信装置、蓄電装置、識別子管理システム、及び識別子管理方法を提供することを目的とする。
【課題を解決するための手段】
【０００７】
本発明に係る「通信装置」は、親機と複数の子機からなり、それぞれが有する無線通信手段を用いて前記親機と各前記子機の間で無線通信を行う機器であって、各前記子機は、前記無線通信手段とは別の手段にてトリガを検出する検出手段を更に有し、前記検出手段により前記トリガを検出した前記子機である特定子機は、前記無線通信手段を用いて、前記特定子機に設定される一意の識別子を前記親機から受信し、又は前記特定子機に固有の識別子を前記親機に向けて送信する。
【０００８】
このように、無線通信手段とは別の検出手段によりトリガを検出した特定子機が、無線通信手段を用いて識別子を送受信するので、設定対象である子機にトリガを与えるだけで通信装置内における識別子の設定が自動的に行われる。これにより、各子機の識別子を設定するための別体の設定用機器が不要となり、しかも設定の作業工数を大幅に削減できる。
【０００９】
また、前記親機は、前記一意の識別子を含む付与信号を各前記子機に向けて一斉送信し、前記特定子機は、前記トリガを検出したことを条件に、前記親機からの前記付与信号を受信する動作を実行することが好ましい。これにより、親機が付与信号の送信先を意識することなく、親機と特定子機の間における送受信処理が適切に実行される。
【００１０】
また、前記特定子機は、前記一意の識別子が未だ設定されていない場合、前記付与信号の送信を要求する要求信号を前記親機に向けて送信し、前記親機は、前記要求信号の受信後に前記付与信号を一斉送信することが好ましい。これにより、子機へのトリガ付与によって識別子の設定作業を開始可能となり、子機の登録漏れを防止することができる。
【００１１】
また、各前記子機は、外部から視認可能な位置に配置された表示部を更に有し、前記表示部は、前記トリガの検出時点、前記一意の識別子の受信時点、前記固有の識別子の送信時点、及び前記一意の識別子若しくは前記固有の識別子の設定時点のうち、少なくとも１つの時点の前後にわたって表示形態を異ならせることが好ましい。作業者は、子機における表示形態を視認することで、識別子の設定に関する動作状態を一見して把握できる。
【００１２】
また、前記検出手段は、前記子機の外部から供給されるエネルギーを前記トリガとして検出する非接触センサであることが好ましい。これにより、子機に直接触れることなくトリガを与えることができる。
【００１３】
また、前記検出手段は、前記子機の外部から供給される磁気を前記トリガとして検出する磁気センサであることが好ましい。これにより、比較的容易に入手可能な磁石を用いてトリガを与えることができる。
【００１４】
また、前記検出手段は、電力の供給及び通電状態の変化のいずれか一方を前記トリガとして検出することが好ましい。
【００１５】
本発明に係る「蓄電装置」は、上記したいずれかの通信装置と、１つ又は２つ以上のセル電池から構成される蓄電池を備え、各前記子機は、前記セル電池の状態を示す測定データを取得する測定部を更に有し、前記親機は、前記無線通信手段を用いて、前記測定部にて得られた前記測定データを各前記子機から受信する。
【００１６】
また、前記蓄電池は、２つ以上のセル電池から構成され、各前記セル電池の端子を直列に接続する少なくとも１つのバスバーを更に備え、各前記子機は、前記バスバーの上に接触して配置されることが好ましい。これにより、信頼性が高い測定データが得られると共に、作業者は、通電中のバスバーに接触又は過度に近接することなく、所望の子機にトリガを与えることができる。
【００１７】
本発明に係る「識別子管理システム」は、上記したいずれかの通信装置と、前記通信装置の間で共有する前記一意の識別子又は前記固有の識別子を管理する識別子管理装置を備える。
【００１８】
本発明に係る「識別子管理方法」は、親機と複数の子機からなり、それぞれが有する無線通信手段を用いて前記親機と各前記子機の間で無線通信を行う通信装置を用いる方法であって、複数の前記子機に含まれる特定子機が、前記無線通信手段とは別の手段にてトリガを検出する検出ステップと、前記特定子機が、前記無線通信手段を用いて、前記特定子機に設定される一意の識別子を前記親機から受信し、又は前記特定子機に固有の識別子を前記親機に向けて送信する送受信ステップを備える。
【発明の効果】
【００１９】
本発明に係る通信装置、蓄電装置、識別子管理システム、及び識別子管理方法によれば、各子機の識別子を設定するための別体の設定用機器が不要となり、しかも設定の作業工数を大幅に削減できる。
【図面の簡単な説明】
【００２０】
【図１】第１実施形態に係るセルセンサシステムを組み込んだ蓄電装置の概略構成図である。
【図２】第１実施形態に係るセルセンサシステムの電気ブロック図である。
【図３】１つの親機と複数の子機の間の通信シーケンス図である。
【図４】図２に示すセルセンサシステムの動作説明に供されるフローチャートである。
【図５】第１実施形態の変形例に係るフローチャートである。
【図６】第２実施形態に係るセルセンサシステムの電気ブロック図である。
【図７】図６に示すセルセンサシステムの動作説明に供されるフローチャートである。
【図８】異なる態様のトリガを検出する子機の電気ブロック図である。
【図９】異なる態様のトリガを検出する子機の電気ブロック図である。
【発明を実施するための形態】
【００２１】
以下、本発明に係る通信装置について、蓄電装置、識別子管理システム及び識別子管理方法との関係において好適な実施形態を挙げ、添付の図面を参照しながら説明する。
【００２２】
［第１実施形態］
先ず、第１実施形態に係る通信装置としてのセルセンサシステム２４について、図１〜図４を参照しながら説明する。
【００２３】
＜蓄電装置１０の構成＞
図１は、第１実施形態に係るセルセンサシステム２４を組み込んだ蓄電装置１０の概略構成図である。この蓄電装置１０は、電力を充電又は放電可能に構成された蓄電池１２を備える。蓄電池１２は、１つのセル電池１４から構成され、或いは、横方向又は高さ方向に配置された複数（本図例では、６つ）のセル電池１４から構成される蓄電モジュールである。セル電池１４は、例えば、鉛蓄電池、リチウムイオン電池、ニッケル水素電池を含む二次電池、電気二重層タイプを含むキャパシタ、又はこれらを組み合わせた複合電池である。
【００２４】
各セル電池１４の一面には、正端子１６、負端子１８、及びラベル２０が設けられている。上下方向又は左右方向に隣接するセル電池１４の間には、一のセル電池１４の正端子１６と、他方のセル電池１４の負端子１８を電気的に接続する金属製のバスバー２２が架設されている。各ラベル２０には、セル電池１４に固有の識別番号が示されている。本図例の識別番号は、セル電池１４の接続順（１〜６の算用数字）に相当する。
【００２５】
蓄電装置１０は、この蓄電池１２の他、各セル電池１４の測定を行うセルセンサシステム２４（通信装置）と、蓄電池１２全体の測定を行う組電池センサ２６と、セルセンサシステム２４及び組電池センサ２６からの測定データを収集するデータ収集器２８と、識別子管理装置としてのＢＭＵ（Battery Monitoring Unit）３０を更に備える。
【００２６】
セルセンサシステム２４は、１つの親機３２と複数の子機３４からなり、それぞれが有する無線通信手段を用いて、親機３２と各子機３４の間で無線通信を行う。低背の直方体状である子機３４は、バスバー２２の上に接触して配置されている。子機３４の筐体３６には、外部から視認可能な位置に表示部としてのＬＥＤ（Light Emitting Diode）ランプ３８が設けられている。なお、磁石４０が発する磁気は、後述する「ＩＤ自動設定」を実行するトリガＴｒとして機能する。
【００２７】
ＢＭＵ３０は、データ収集器２８により収集された測定データを取得し、当該測定データに基づいて蓄電池１２の状態を診断する。この測定データは、測定信号の時系列或いはこの時系列を用いた演算値であり、具体的には、蓄電池１２全体の電圧及び電流、並びに各セル電池１４の電圧及び温度を示す。
【００２８】
＜セルセンサシステム２４の電気ブロック図＞
図２は、図１に示すセルセンサシステム２４の電気ブロック図であり、識別子管理システム４８の全体構成を示す。セルセンサシステム２４の親機３２は、親機側制御部５０、親機側メモリ５２、及び、親機側無線モジュール５４（無線通信手段）を含んで構成される。
【００２９】
親機側制御部５０は、例えば、ＭＰＵ（Micro Processing Unit）又はＣＰＵ（Central Processing Unit）からなり、親機３２の各構成要素の制御を司る装置である。親機側制御部５０は、親機側通信制御部５６及びＩＤ情報管理部５８を含む各種機能を実行する。
【００３０】
親機側メモリ５２は、例えば、ＲＡＭ（Random Access Memory）等の非一過性であって且つコンピュータ読み取り可能な記憶媒体で構成され、親機側制御部５０が各構成要素を制御するのに必要なプログラム及びデータ等を記憶している。本図例では、子機３４に設定されるＩＤ情報６０（一意の識別子）を格納する。
【００３１】
親機３２は、データ収集器２８を介して、ＢＭＵ３０に対して電文を送受信する。これにより、親機３２は、ＢＭＵ３０に格納されたセル管理テーブル６２に関する情報を取得可能である。このセル管理テーブル６２は、セル電池１４の識別番号（ラベル２０の番号）と、子機３４のＩＤ情報６０との間の対応関係を示すテーブルデータである。
【００３２】
親機側無線モジュール５４は、ＷｉＦｉを含む「狭域無線通信」の規格、或いは、ＺＩＧＢＥＥ（登録商標）、ＢＬＵＥＴＯＯＴＨ（登録商標）を含む「近距離無線通信」の規格に準拠する通信用モジュールである。これにより、親機３２は、無線アクセスポイントとして機能し、各子機３４に対して無線信号を送受信可能である。
【００３３】
一方、セルセンサシステム２４の各子機３４は、子機側制御部７０、測定部７２、磁気センサ７４（検出手段）、ＬＥＤランプ３８、子機側メモリ７６、ＥＥＰＲＯＭ（Electrically Erasable Programmable Read-Only Memory）７８、及び子機側無線モジュール８０（無線通信手段）を含んで構成される。
【００３４】
子機側制御部７０は、親機側制御部５０と同様に構成され、子機３４の各構成要素の制御を司る装置である。子機側制御部７０は、子機側通信制御部８２、ＩＤ情報設定部８４、及び点灯制御部８６を含む各種機能を実行する。
【００３５】
測定部７２は、セル電池１４の状態に相関する物理量を測定すると共に、得られた測定データを逐次出力する。本図例では、測定部７２は、セル電池１４の電圧に応じた検出信号を出力する電圧センサ８８と、セル電池１４の温度に応じた検出信号を出力する温度センサ９０を備える。
【００３６】
磁気センサ７４は、例えば磁気形近接スイッチから構成され、子機３４の外部から供給される磁気を検出する。ＬＥＤランプ３８は、点灯制御部８６からの点灯指示に応じて点灯又は消灯する。子機側メモリ７６は、親機側メモリ５２と同様に構成され、子機側制御部７０が各構成要素を制御するのに必要なプログラム及びデータ等を記憶している。
【００３７】
子機側無線モジュール８０は、親機側無線モジュール５４と同様に、「狭域無線通信」或いは「近距離無線通信」の規格に準拠する通信用モジュールである。これにより、各子機３４は、無線端末として機能し、親機３２に対して無線信号を送受信可能である。
【００３８】
＜ＩＤ自動設定の概略＞
第１実施形態に係るセルセンサシステム２４は、以上のように構成される。続いて、「ＩＤ自動設定」を実行するセルセンサシステム２４の概略動作について、図３のシーケンス図を参照しながら説明する。
【００３９】
ＩＤ設定モードが「ＯＮ」である親機３２は、ＩＤ情報６０を含む無線信号（以下、ＩＤ付与信号）を一斉送信する。このブロードキャスト時点からＴｉｎが経過するまでの間に各子機３４からの応答がなかった場合、親機３２は、ＩＤ付与信号の一斉送信を所定の時間間隔（Ｔｉｎ）にて繰り返す。
【００４０】
各子機３４は、ＩＤ設定モードが「ＯＦＦ」である通常時、ＩＤ付与信号を受信する動作を行わない。ところが、トリガＴｒを検出したＩＤ未設定の子機３４（以下、特定子機３４ｓという）は、ＩＤ設定モードを「ＯＮ」に移行した後、ＩＤ付与信号の受信動作を開始する。このとき、特定子機３４ｓは、ＬＥＤランプ３８の表示形態を「点灯」から「点滅」に変化させる。
【００４１】
その後、特定子機３４ｓは、親機３２からのＩＤ付与信号を受信すると共に、ＩＤ付与信号に含まれるＩＤ情報６０を自身に設定する。このとき、特定子機３４ｓは、ＩＤ設定モードを「ＯＦＦ」に移行すると共に、ＬＥＤランプ３８の表示形態を「点滅」から「消灯」に変化させる。
【００４２】
その後、親機３２は、ＩＤ設定済みの特定子機３４ｓからの無線信号（以下、設定完了信号）を受信した後、ＩＤ設定モードを「ＯＦＦ」に移行する。このようにして、１つの子機３４に対するＩＤ自動設定が完了する。
【００４３】
＜セルセンサシステム２４の詳細動作＞
続いて、「ＩＤ自動設定」を実行するセルセンサシステム２４の詳細動作について、図４のフローチャートを参照しながら説明する。ここでは、複数のセル電池１４及びセルセンサシステム２４を独立に検査・出荷しており、セル電池１４と子機３４を紐付けする設定作業を事前に行わない点に留意する。
【００４４】
ステップＳ１において、作業者は、蓄電池１２を構成するセル電池１４の個数だけ子機３４を設置する。具体的には、作業者は、［１］セル電池１４の設置作業、［２］バスバー２２の取り付け作業、及び［３］子機３４の配置作業、を順次実行する。
【００４５】
これにより、１つ又は２つ以上のセル電池１４から構成される蓄電池１２と、親機３２と複数の子機３４からなるセルセンサシステム２４と、各セル電池１４の正端子１６、負端子１８を直列に接続する少なくとも１つのバスバー２２を備える蓄電装置１０が設置される。なお、この初期状態では、すべての子機３４のＬＥＤランプ３８は、点灯したままになっている。
【００４６】
ここで、ＢＭＵ３０を含む外部装置から複数の無線機に向けて登録指令を送信することで、親機３２及び子機３４の役割を付与してもよい。無線機は、例えば、登録指令に含まれるショートアドレスの値を参照することで、自身が親機３２として機能するのか、或いは子機３４として機能するのかを判別可能に構成される。具体的な例では、１つの無線機は、ＰＡＮ ＩＤ（Personal Area Network Identifier）とショートアドレス「０」を含む登録指令を受信した後に親機３２として機能する。また、これとは別の無線機は、「０」以外のショートアドレスを含む登録指令を受信した後に子機３４として機能する。これにより、親機３２及び子機３４を同一のハードウェア及びファームウェアで構成できる。
【００４７】
ステップＳ２において、ＢＭＵ３０及び親機３２は、ＩＤ設定モードを「ＯＦＦ」から「ＯＮ」に移行する。具体的には、ＢＭＵ３０は、作業者による操作に応じてＩＤ設定モードを「ＯＮ」に移行した後、セル管理テーブル６２を参照して未だ付与されていない１つのＩＤ情報６０を選択・決定する。例えば、ＩＤ情報６０は、ラベル２０に表記したセル電池１４の識別番号に一致する。
【００４８】
その後、親機３２は、ＩＤ情報６０を含むＢＭＵ３０からの電文（以下、設定要求信号）を受信し、このＩＤ情報６０を親機側メモリ５２に一時的に記憶させておく。そして、ＩＤ情報管理部５８は、ＩＤ設定モードを「ＯＦＦ」から「ＯＮ」に移行する。
【００４９】
ステップＳ３において、親機側通信制御部５６は、親機側無線モジュール５４の通信制御を実行することで、ステップＳ２で取得したＩＤ情報６０を含むＩＤ付与信号を蓄電池１２の周辺に向けて一斉送信させる。例えば、ＰＡＮ ＩＤ（Personal Area Network Identifier）及び「０」以外のショートアドレスを送信する。
【００５０】
作業者は、このブロードキャスト動作が繰り返される間に、ＩＤが未設定であり、且つＩＤ情報６０（すなわち、セル電池１４の識別番号）に対応する子機３４の筐体３６に対して、磁石４０を接触又は近接させる。ここで、トリガＴｒの検出手段として、子機３４の外部から供給されるエネルギーを検出する非接触センサを用いてもよい。これにより、子機３４に直接触れることなくトリガＴｒを与えることができる。具体的には、磁気を検出する磁気センサ７４を設けることで、比較的容易に入手可能な磁石４０を用いてトリガＴｒを与えることができる。
【００５１】
特に、各子機３４がバスバー２２の上に接触して配置される場合、この非接触センサを用いることが好ましい。なぜならば、信頼性が高い測定データが得られると共に、作業者は、通電中のバスバー２２に接触又は過度に近接することなく、所望の子機３４にトリガＴｒを与えることができるからである。
【００５２】
ステップＳ４において、各子機３４は、磁気センサ７４によりトリガＴｒを検出したか否かを判定する。検出がないと判定された場合（ステップＳ４：ＮＯ）、検出があるまでステップＳ４に留まる。一方、トリガＴｒを検出したと判定された場合（ステップＳ４：ＹＥＳ）、次のステップ（Ｓ５）に進む。
【００５３】
ステップＳ５において、特定子機３４ｓのＩＤ情報設定部８４は、ＩＤ設定モードを「ＯＦＦ」から「ＯＮ」に移行する。その後、点灯制御部８６は、ＬＥＤランプ３８の表示制御を実行することで、表示形態を「点灯」から「点滅」に変化させる。
【００５４】
ステップＳ６において、特定子機３４ｓの子機側通信制御部８２は、子機側無線モジュール８０の通信制御を実行することで、ステップＳ３にて発せられたＩＤ付与信号を受信させる。具体的には、子機側無線モジュール８０は、所定の間隔で受信側の周波数チャネルを逐次変更することで、送信側の周波数チャネルと一致した無線信号（すなわち、ＩＤ付与信号）を受信する。
【００５５】
このように、親機３２は、ＩＤ情報６０を含むＩＤ付与信号を各子機３４に向けて一斉送信すると共に、特定子機３４ｓは、トリガＴｒを検出したことを条件に、親機３２からのＩＤ付与信号を受信する動作を実行してもよい。これにより、親機３２がＩＤ付与信号の送信先を意識することなく、親機３２と特定子機３４ｓの間における送受信処理が適切に実行される。
【００５６】
ステップＳ７において、特定子機３４ｓのＩＤ情報設定部８４は、ステップＳ６で受信したＩＤ付与信号に含まれるＩＤ情報６０を取得し、該ＩＤ情報６０をＥＥＰＲＯＭ７８に書き込む。これにより、特定子機３４ｓのＩＤ設定が完了する。
【００５７】
ステップＳ８において、特定子機３４ｓの子機側通信制御部８２は、子機側無線モジュール８０の通信制御を実行することで、ステップＳ７にて設定が完了した旨を通知する設定完了信号を親機３２に向けて送信させる。親機３２は、この設定完了信号を受信することにより、ＩＤ情報６０の設定対象（特定子機３４ｓ）を識別可能になる。
【００５８】
ステップＳ９において、ＢＭＵ３０及び親機３２は、ＩＤ設定モードを「ＯＮ」から「ＯＦＦ」に移行することで当該モードを終了する。ＢＭＵ３０は、セル管理テーブル６２を更新することで、蓄電装置１０の内部にてＩＤ情報６０が一意性を保つように管理する。
【００５９】
以下、例えば、親機側通信制御部５６から送信されたＩＤ情報６０がセル電池１４の接続順に従っている場合、作業者は、セル電池１４の接続順に従って、残りの子機３４に対して上記した一連の作業を繰り返す。具体的には、作業者は、［１］ＬＥＤランプ３８が「点灯」から「点滅」に変わるまで磁石４０を子機３４に近接させ、［２］ＬＥＤランプ３８が「点滅」に変わった後に磁石４０を離間させ、［３］ＬＥＤランプ３８が「点滅」から「消灯」に変わるまで待機する。
【００６０】
このように、ＬＥＤランプ３８は、外部から視認可能な位置に配置されており、且つ、トリガＴｒの検出時点、ＩＤ情報６０の受信時点、及びＩＤ情報６０の設定時点のうち、少なくとも１つの時点の前後にわたって表示形態を異ならせてもよい。作業者は、子機３４における表示形態を視認することで、ＩＤ情報６０の設定に関する動作状態を一見して把握できる。
【００６１】
＜第１実施形態による効果＞
以上のように、セルセンサシステム２４は、親機３２と複数の子機３４からなり、それぞれが有する無線通信手段（親機側無線モジュール５４及び子機側無線モジュール８０）を用いて親機３２と各子機３４の間で無線通信を行う通信装置である。そして、各子機３４は、子機側無線モジュール８０とは別の手段にてトリガＴｒを検出する検出手段（磁気センサ７４）を更に有し、磁気センサ７４によりトリガＴｒを検出した特定子機３４ｓは、子機側無線モジュール８０を用いて、特定子機３４ｓに設定される一意の識別子（ＩＤ情報６０）を親機３２から受信する。
【００６２】
蓄電装置１０は、上記のセルセンサシステム２４と、１つ又は２つ以上のセル電池１４から構成される蓄電池１２を備える。そして、各子機３４は、セル電池１４の状態を示す測定データを取得する測定部７２を更に有し、親機３２は、親機側無線モジュール５４を用いて、測定部７２にて得られた測定データを各子機３４から受信する。
【００６３】
識別子管理システム４８は、上記のセルセンサシステム２４と、セルセンサシステム２４の間で共有するＩＤ情報６０を管理するＢＭＵ３０を備える。また、セルセンサシステム２４を用いる識別子管理方法は、複数の子機３４に含まれる特定子機３４ｓがトリガＴｒを検出する検出ステップ（Ｓ４）と、特定子機３４ｓが、特定子機３４ｓに設定される一意のＩＤ情報６０を親機３２から受信する受信ステップ（Ｓ６）を備える。
【００６４】
このように構成したので、設定対象である子機３４にトリガＴｒを与えるだけでセルセンサシステム２４内におけるＩＤ情報６０の設定が自動的に行われる。これにより、各子機３４のＩＤ情報６０を設定するための別体の設定用機器が不要となり、しかも設定の作業工数を大幅に削減できる。
【００６５】
＜変形例＞
続いて、「ＩＤ自動設定」を実行するセルセンサシステム２４の詳細動作の変形例について、図５のフローチャートを参照しながら説明する。この変形例は、ＩＤ設定モードの移行手順が第１実施形態と異なる点に留意する。
【００６６】
ステップＳ１において、作業者は、蓄電池１２を構成するセル電池１４の個数だけ子機３４を設置する。第１実施形態と同じであるため、説明を省略する。
【００６７】
ステップＳ１１において、各子機３４は、磁気センサ７４によりトリガＴｒを検出したか否かを判定する。検出がないと判定された場合（ステップＳ１１：ＮＯ）、検出があるまでステップＳ１１に留まる。一方、トリガＴｒを検出したと判定された場合（ステップＳ１１：ＹＥＳ）、次のステップ（Ｓ１２）に進む。
【００６８】
ステップＳ１２において、特定子機３４ｓのＩＤ情報設定部８４は、ＩＤ設定モードを「ＯＦＦ」から「ＯＮ」に移行する。その後、点灯制御部８６は、ＬＥＤランプ３８の表示制御を実行することで、表示形態を「点灯」から「点滅」に変化させる。
【００６９】
ステップＳ１３において、特定子機３４ｓの子機側通信制御部８２は、子機側無線モジュール８０の通信制御を実行することで、ＩＤ情報６０の付与を要求する旨の無線信号（以下、ＩＤ要求信号）を親機３２に向けて送信させる。
【００７０】
ステップＳ１４において、ＢＭＵ３０及び親機３２は、ＩＤ設定モードを「ＯＦＦ」から「ＯＮ」に移行する。具体的には、親機３２は、ステップＳ１３で送信されたＩＤ要求信号を受信した後、ＩＤ設定モードを「ＯＮ」に移行すると共に、ＢＭＵ３０に向けてＩＤ要求信号を送信する。ＢＭＵ３０は、ＩＤ要求信号の受信に応じてＩＤ設定モードを「ＯＮ」に移行した後、セル管理テーブル６２を参照して未だ付与されていない１つのＩＤ情報６０を選択・決定する。
【００７１】
ステップＳ１５において、親機３２は、ＩＤ情報６０を含むＢＭＵ３０からの電文（以下、設定要求信号）を受信し、このＩＤ情報６０を親機側メモリ５２に一時的に記憶させておく。以下、第１実施形態と同様の手順でステップＳ６〜Ｓ９を実行することで、セルセンサシステム２４によるＩＤ自動設定が完了する。なお、ステップＳ１３における特定子機３４ｓは、ＩＤ情報６０（すなわち、セル電池１４の識別番号）に対応する子機３４である点に留意する。
【００７２】
このように、特定子機３４ｓは、ＩＤ情報６０が未だ設定されていない場合、ＩＤ付与信号の送信を要求するＩＤ要求信号を親機３２に向けて送信すると共に（Ｓ１３）、親機３２は、ＩＤ要求信号の受信後にＩＤ付与信号を一斉送信してもよい（Ｓ１５）。これにより、子機３４へのトリガ付与によってＩＤ情報６０の設定作業を開始可能となり、作業者がＬＥＤランプ３８の表示形態を視認することで、子機３４の登録漏れを防止することができる。
【００７３】
［第２実施形態］
続いて、第２実施形態に係る通信装置としてのセルセンサシステム１００について、図６及び図７を参照しながら説明する。なお、蓄電装置１０の構成は、セルセンサシステムの内部構成を除いて図１と基本的に同一であるため、その説明を省略する。
【００７４】
＜セルセンサシステム１００の電気ブロック図＞
図６は、第２実施形態に係るセルセンサシステム１００の電気ブロック図であり、識別子管理システム９８の全体構成を示す。セルセンサシステム１００は、第１実施形態と同様に、１つの親機１０２と複数の子機１０４からなり、それぞれが有する無線通信手段を用いて、親機１０２と各子機１０４の間で無線通信を行う。
【００７５】
親機１０２は、第１実施形態（図２の親機３２）と同様に、親機側制御部５０、親機側メモリ５２、及び親機側無線モジュール５４を含んで構成される。ただし、［１］親機側制御部５０によるＩＤ情報管理部１０６の機能、及び［２］親機側メモリ５２の格納内容（セル管理テーブル１０８）が異なっている。
【００７６】
各子機１０４は、第１実施形態（図２の子機３４）と同様に、子機側制御部７０、測定部７２、磁気センサ７４、ＬＥＤランプ３８、子機側メモリ７６、ＥＥＰＲＯＭ７８、及び子機側無線モジュール８０を含んで構成される。ただし、［１］子機側制御部７０によるＩＤ情報取得部１１０の機能、及び［２］ＥＥＰＲＯＭ７８の格納内容（ＩＤ情報１１２）が異なっている。
【００７７】
ここで、ＩＤ情報１１２は、子機１０４に固有の識別子、例えば、製造番号又はＭＡＣ（Media Access Control）アドレスである。また、セル管理テーブル１０８は、セル電池１４の識別情報と、子機１０４のＩＤ情報１１２との間の対応関係を示すテーブルデータである。
【００７８】
＜セルセンサシステム１００の動作＞
続いて、セルセンサシステム１００の動作について、図７のフローチャートを参照しながら説明する。
【００７９】
ステップＳ２１において、作業者は、蓄電池１２を構成するセル電池１４の個数だけ子機３４を設置する。第１実施形態（ステップＳ１）と同じであるため、説明を省略する。
【００８０】
ステップＳ２２において、ＢＭＵ３０及び親機３２は、ＩＤ設定モードを「ＯＦＦ」から「ＯＮ」に移行する。ここでは、第１実施形態と異なり、ＢＭＵ３０と親機３２の間にてＩＤ情報の共有を行わない点に留意する。
【００８１】
ステップＳ２３において、親機側通信制御部５６は、親機側無線モジュール５４の通信制御を実行することで、ＩＤ情報１１２の送信を要求する無線信号（以下、ＩＤ要求信号）を蓄電池１２の周辺に向けて一斉送信させる。
【００８２】
ステップＳ２４において、各子機１０４は、磁気センサ７４によりトリガＴｒを検出したか否かを判定する。検出がないと判定された場合（ステップＳ２４：ＮＯ）、検出があるまでステップＳ２４に留まる。一方、トリガＴｒを検出したと判定された場合（ステップＳ２４：ＹＥＳ）、次のステップ（Ｓ２５）に進む。
【００８３】
ステップＳ２５において、特定子機１０４ｓのＩＤ情報取得部１１０は、ＩＤ設定モードを「ＯＦＦ」から「ＯＮ」に移行する。その後、点灯制御部８６は、ＬＥＤランプ３８の表示制御を実行することで、表示形態を「点灯」から「点滅」に変化させる。
【００８４】
ステップＳ２６において、特定子機１０４ｓの子機側通信制御部８２は、子機側無線モジュール８０の通信制御を実行することで、ステップＳ２３にて発せられたＩＤ要求信号を受信させる。その後、ＩＤ情報取得部１１０は、ＥＥＰＲＯＭ７８から読み出すことで、書き込まれたＩＤ情報１１２を取得する。
【００８５】
ステップＳ２７において、子機側通信制御部８２は、子機側無線モジュール８０の通信制御を実行することで、ステップＳ２６にて取得したＩＤ情報１１２を含む無線信号（以下、ＩＤ通知信号）を親機１０２に向けて送信させる。
【００８６】
ステップＳ２８において、親機１０２は、このＩＤ通知信号を受信することにより、ＩＤ情報１１２の設定対象（特定子機１０４ｓ）を識別可能になる。親機１０２のＩＤ情報管理部１０６は、セル管理テーブル１０８に対してＩＤ情報１１２を新規追加・設定することで、蓄電装置１０の内部にてＩＤ情報１１２が一意性を保つように管理する。
【００８７】
ステップＳ２９において、ＢＭＵ３０、親機１０２及び特定子機１０４ｓは、ＩＤ設定モードを「ＯＮ」から「ＯＦＦ」に移行することで当該モードを終了する。なお、親機１０２は、必要に応じて、更新されたセル管理テーブル１０８をＢＭＵ３０に向けて送信することで、セル電池１４とＩＤ情報１１２の間の対応関係を共有する。
【００８８】
以下、作業者は、例えばセル電池１４の接続順に従って、残りの子機３４に対して上記した一連の作業を繰り返す。具体的には、作業者は、［１］ＬＥＤランプ３８が「点灯」から「点滅」に変わるまで磁石４０を子機３４に近接させ、［２］ＬＥＤランプ３８が「点滅」に変わった後に磁石４０を離間させ、［３］ＬＥＤランプ３８が「点滅」から「消灯」に変わるまで待機する。
【００８９】
このように、ＬＥＤランプ３８は、外部から視認可能な位置に配置されており、且つ、トリガＴｒの検出時点、ＩＤ情報１１２の送信時点、及びＩＤ情報１１２の設定時点のうち、少なくとも１つの時点の前後にわたって表示形態を異ならせてもよい。作業者は、子機１０４における表示形態を視認することで、ＩＤ情報１１２の設定に関する動作状態を一見して把握できる。
【００９０】
＜第２実施形態による効果＞
以上のように、セルセンサシステム１００は、親機１０２と複数の子機１０４からなり、それぞれが有する無線通信手段を用いて親機１０２と各子機１０４の間で無線通信を行う装置である。そして、磁気センサ７４によりトリガＴｒを検出した特定子機１０４ｓは、子機側無線モジュール８０を用いて、特定子機１０４ｓに固有の識別子（ＩＤ情報１１２）を親機１０２に向けて送信する。
【００９１】
蓄電装置１０は、上記のセルセンサシステム１００と、１つ又は２つ以上のセル電池１４から構成される蓄電池１２を備える。そして、各子機１０４は、セル電池１４の状態を示す測定データを取得する測定部７２を更に有し、親機１０２は、親機側無線モジュール５４を用いて、測定部７２にて得られた測定データを各子機１０４から受信する。
【００９２】
識別子管理システム９８は、上記のセルセンサシステム１００と、セルセンサシステム１００の間で共有するＩＤ情報１１２を管理するＢＭＵ３０を備える。また、セルセンサシステム１００を用いる識別子管理方法は、複数の子機１０４に含まれる特定子機１０４ｓがトリガＴｒを検出する検出ステップ（Ｓ２４）と、特定子機１０４ｓが、固有のＩＤ情報１１２を親機１０２に向けて送信する送信ステップ（Ｓ２７）を備える。
【００９３】
これにより、第１実施形態の場合と同様に、各子機１０４のＩＤ情報１１２を設定するための別体の設定用機器が不要となり、しかも設定の作業工数を大幅に削減できる。
【００９４】
［トリガＴｒの他例］
ところで、第１及び第２実施形態では、子機３４、１０４の外側から供給される磁気エネルギーをトリガＴｒとする具体例を示したが、この形態に限られない。トリガＴｒの他例について、図８及び図９を参照しながら説明する。
【００９５】
図８は、異なる態様のトリガＴｒを検出する子機１２０の電気ブロック図である。子機側制御部７０は、子機側通信制御部８２、ＩＤ情報設定部８４及び点灯制御部８６の他、外部からの電力の供給の有無を検出する給電状態検出部１２２として更に機能する。
【００９６】
子機１２０の筐体３６には、電源線１２４の一端側にある接続部１２６を受容する受容部１２８が設けられている。接続部１２６をＡ方向に挿入して受容部１２８に係合させることで、子機１２０には、電源線１２４を介してセル電池１４からの電力が供給される。その後、給電状態検出部１２２が電力の供給をトリガＴｒとして検出することで、子機１２０は、特定子機１２０ｓとしてのＩＤ設定のための動作を開始する。
【００９７】
図９は、異なる態様のトリガＴｒを検出する子機１４０の電気ブロック図である。子機側制御部７０は、子機側通信制御部８２、ＩＤ情報設定部８４及び点灯制御部８６の他、特定の電気回路における通電の有無を検出する通電状態検出部１４２として更に機能する。
【００９８】
筐体３６に設けられたスリット１４４には、絶縁性材料からなる絶縁シート１４６が介挿されている。初期状態では、電気回路の一部を構成するスイッチ１４８には、絶縁シート１４６の端部が挟まっている。絶縁シート１４６をＢ方向に引っ張ることで、スイッチ１４８がＣ方向に移動し、スイッチ１４８が「オン状態」（通電状態）に変化する。その後、通電状態検出部１４２が通電状態の変化をトリガＴｒとして検出することで、子機１４０は、特定子機１４０ｓとしてのＩＤ設定のための動作を開始する。
【００９９】
以上のように、［１］電力の供給、又は［２］通電状態の変化（非通電から通電、或いは、通電から非通電）、のいずれか一方をトリガＴｒとして検出してもよい。また、検出するエネルギーの種類は電磁的エネルギーに限られず、例えば光学的、熱的又は力学的なエネルギーであってもよい。
【０１００】
［備考］
なお、この発明は、上述した実施形態に限定されるものではなく、この発明の主旨を逸脱しない範囲で自由に変更できることは勿論である。
【０１０１】
第１及び第２実施形態では、蓄電池１２のセンシングに適用した通信装置の一例を示したが、当該装置を適用する対象又は目的についてはこれに限られない。
【符号の説明】
【０１０２】
１０‥蓄電装置                          １２‥蓄電池
１４‥セル電池                          ２２‥バスバー
２４、１００‥セルセンサシステム（通信装置）
２６‥組電池センサ                      ２８‥データ収集器
３０‥ＢＭＵ（識別子監視装置）          ３２、１０２‥親機
３４、１０４、１２０、１４０‥子機
３４ｓ、１０４ｓ、１２０ｓ、１４０ｓ‥特定子機
３６‥筐体                              ３８‥ＬＥＤランプ（表示部）
４０‥磁石                              ４８、９８‥識別子管理システム
５０‥親機側制御部                      ５２‥親機側メモリ
５４‥親機側無線モジュール（無線通信手段）
５６‥親機側通信制御部                  ５８、１０６‥ＩＤ情報管理部
６０‥ＩＤ情報（一意の識別子）          ６２、１０８‥セル管理テーブル
７０‥子機側制御部                      ７２‥測定部
７４‥磁気センサ（検出手段）            ７６‥子機側メモリ
８０‥子機側無線モジュール（無線通信手段）
８２‥子機側通信制御部                  ８４‥ＩＤ情報設定部
８６‥点灯制御部                        １１０‥ＩＤ情報取得部
１１２‥ＩＤ情報（固有の識別子）        １２２‥給電状態検出部（検出手段）
１２４‥接続部                          １２６‥受容部
１２８‥電源線                          １４２‥通電状態検出部（検出手段）
１４４‥スリット                        １４６‥絶縁シート
１４８‥スイッチ                        Ｔｒ‥トリガ
【図１】
0006598567.tif 000002
【図２】
0006598567.tif 000003
【図３】
0006598567.tif 000004
【図４】
0006598567.tif 000005
【図５】
0006598567.tif 000006
【図６】
0006598567.tif 000007
【図７】
0006598567.tif 000008
【図８】
0006598567.tif 000009
【図９】
0006598567.tif 000010